Podtech/llm-jp-corpus-v4-ja_patent huggingface dataset:
【手続補正書】
【提出日】平成22年12月16日(2010.12.16)
【手続補正１】
【補正対象書類名】明細書
【補正対象項目名】００２２
【補正方法】変更
【補正の内容】
【００２２】
検査情報５１０は、文字による検査特定情報（文字情報）５１１と代表画像５１２とを備える。文字情報５１１として、その検査を実行する際、オペレータが入力する情報が登録される。例えば、検査が患者単位で行われる場合、患者名が登録される。また、代表画像５１２として、代表画像決定処理部１２２が決定した代表画像が登録される。
【手続補正２】
【補正対象書類名】明細書
【補正対象項目名】００３６
【補正方法】変更
【補正の内容】
【００３６】
ここで、選択受付処理部１２３が生成し、表示装置１０５に表示する検査一覧画面４００について説明する。図５は、本実施形態の検査一覧画面４００を説明するための図である。本図に示すように、本実施形態の検査一覧画面４００は、検査毎に文字情報５１１および代表画像５１２を表示する表示領域４１０を備える。オペレータは、入力装置１０７を用い、所望の検査の表示領域４１０を選択する。
【手続補正３】
【補正対象書類名】明細書
【補正対象項目名】００３７
【補正方法】変更
【補正の内容】
【００３７】
選択受付処理部１２３は、オペレータが選択した表示領域４１０に表示されている文字情報５１１が登録されている検査結果データ５００の画像群５３０を抽出し、表示装置１０５に表示する。このとき、文字情報５１１、シリーズ情報５２０も同時に抽出して表示するよう構成してもよい。また、シリーズ情報５２０の中で、予め定めた項目のみ抽出して表示するよう構成してもよい。
【手続補正４】
【補正対象書類名】明細書
【補正対象項目名】００５５
【補正方法】変更
【補正の内容】
【００５５】
次に、カウンタｉの値と合致する順番５２２を有するシリーズ情報５２０−３の有無を判別する（ステップＳ１００３）。合致する順番５２２を有するシリーズ情報５２０−３が無い場合は、処理を終了する。一方、合致するものがある場合、合致するシリーズ情報５２０−３に最終表示フラグ５２４が登録されているか否か判別する（ステップＳ１００４）。すなわち、ｉ番目のシリーズで取得した画像が最終表示されているものか否かを判別する。登録されていない場合、カウンタｉを１インクリメントし（ステップＳ１００５）、ステップＳ１００３にもどる。
【手続補正５】
【補正対象書類名】明細書
【補正対象項目名】００５６
【補正方法】変更
【補正の内容】
【００５６】
一方、ステップＳ１００４で最終表示フラグ５２４が登録されている場合は、当該シリーズ情報５２０−３で特定されるシリーズで取得した画像５３０の中央スライスを代表画像と決定し（ステップＳ１００６）、処理を終了する。
【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
身体部位のシェーマ画像と該身体部位の医用画像とを選択する選択手段と、
選択された前記シェーマ画像と前記医用画像とにおいて、前記身体部位の構造を特定するための特徴点をそれぞれ抽出する抽出手段と、
抽出された前記シェーマ画像における特徴点と前記医用画像における特徴点との幾何学的対応関係を算出する算出手段と、
算出された前記幾何学的対応関係に基づいて、前記シェーマ画像における特徴点同士の位置関係と医用画像における特徴点同士の位置関係とが対応するように該シェーマ画像を変形する変形手段と、
前記変形手段で変形したシェーマ画像に、前記幾何学的対応関係に基づき前記医用画像又はその一部を合成した合成画像を生成する合成手段と
を備えることを特徴とする画像処理装置。
【請求項２】
前記医用画像の一部は医用画像の注目領域であることを特徴とする請求項１に記載の画像処理装置。
【請求項３】
前記医用画像の候補が複数の断面画像を含む場合に、前記選択手段は選択された前記シェーマ画像と同じ方向から切り出された断面画像を前記医用画像として選択することを特徴とする請求項１または２に記載の画像処理装置。
【請求項４】
前記医用画像の候補が３次元画像を含む場合に、前記選択手段は選択された前記シェーマ画像と切り出し方向が同一の断面画像を前記３次元画像から切り出し、該切り出した断面画像を前記医用画像として選択することを特徴とする請求項１または２に記載の画像処理装置。
【請求項５】
前記医用画像の解像度と変形された前記シェーマ画像の解像度とを合わせるように調整する解像度変換手段をさらに備え、
前記合成手段は、前記解像度が変換されたシェーマ画像又は医用画像とをもとに前記合成画像を生成することを特徴とする請求項１乃至４のいずれか１項に記載の画像処理装置。
【請求項６】
前記合成画像を表示する表示手段をさらに備え、
前記選択された医用画像に複数枚の医用画像が含まれる場合に、
前記合成手段は、前記表示手段における表示の切替要求、又は、一定時間の経過に応じて、前記複数の医用画像のいずれか又はその一部を切り替えて前記変形したシェーマ画像に合成して前記合成画像を生成し、
前記表示手段は、前記切替要求、又は、前記一定時間の経過に応じて生成された前記合成画像を表示する
ことを特徴とする請求項１乃至５のいずれか1項に記載の画像処理装置。
【請求項７】
前記医用画像は、単純Ｘ線画像、Ｘ線ＣＴ画像、ＭＲＩ画像、ＰＥＴ画像、ＳＰＥＣＴ画像、及び超音波画像の少なくともいずれかであることを特徴とする請求項１乃至６のいずれか１項に記載の画像処理装置。
【請求項８】
選択手段が、身体部位のシェーマ画像と該身体部位の医用画像とを選択する選択工程と、
抽出手段が、選択された前記シェーマ画像と前記医用画像とにおいて、前記身体部位の構造を特定するための特徴点をそれぞれ抽出する抽出工程と、
算出手段が、抽出された前記シェーマ画像における特徴点と前記医用画像における特徴点との幾何学的対応関係を算出する算出工程と、
変形手段が、算出された前記幾何学的対応関係に基づいて、前記シェーマ画像における特徴点同士の位置関係と医用画像における特徴点同士の位置関係とが対応するように該シェーマ画像を変形する変形工程と、
合成手段が、前記変形工程で変形したシェーマ画像に、前記幾何学的対応関係に基づき前記医用画像又はその一部を合成した合成画像を生成する合成工程と
を備えることを特徴とする画像処理方法。
【請求項９】
コンピュータを請求項１乃至７のいずれか１項に記載の画像処理装置として機能させるためのコンピュータプログラム。
【手続補正２】
【補正対象書類名】明細書
【補正対象項目名】００１０
【補正方法】変更
【補正の内容】
【００１０】
上記課題を解決するための本発明は、画像処理装置であって、身体部位のシェーマ画像と該身体部位の医用画像とを選択する選択手段と、選択された前記シェーマ画像と前記医用画像とにおいて、前記身体部位の構造を特定するための特徴点をそれぞれ抽出する抽出手段と、抽出された前記シェーマ画像における特徴点と前記医用画像における特徴点との幾何学的対応関係を算出する算出手段と、算出された前記幾何学的対応関係に基づいて、前記シェーマ画像における特徴点同士の位置関係と医用画像における特徴点同士の位置関係とが対応するように該シェーマ画像を変形する変形手段と、前記変形手段で変形したシェーマ画像に、前記幾何学的対応関係に基づき前記医用画像又はその一部を合成した合成画像を生成する合成手段とを備えることを特徴とする。
【手続補正書】
【提出日】平成22年11月15日(2010.11.15)
【手続補正１】
【補正対象書類名】明細書
【補正対象項目名】０００２
【補正方法】変更
【補正の内容】
【０００２】
既存のＪａｖａゲームダウンロードプラットフォームは、携帯電話ネットワークプロバイダが提供するサービスであり、携帯電話ユーザはこれを利用してオンラインＪａｖａゲームをダウンロードすることができる。携帯電話ユーザは携帯電話ネットワークを介して何時でもＪａｖａゲームポータルに接続してオンラインＪａｖａゲームをダウンロードすることができる。このようなオンラインＪａｖａゲームのダウンロードおよびインストール技術は、無線型（ｏｖｅｒ‐ｔｈｅ‐ａｉｒ）（ＯＴＡ）技術と称される。携帯電話ネットワークの帯域制限により、ＯＴＡＪａｖａゲームは通常規模が小さい（例えば、そのメモリフットプリントは通常１ＭＢ以内である）。
［特許文献１］国際公開第２００５／０７６１８９号パンフレット
［特許文献２］米国特許出願公開第２００６／０２５８４６２号明細書
［特許文献３］米国特許出願公開第２００７／００６６４９０号明細書
【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
ヘリカルスキャンを行うＸ線ＣＴ装置であって、
被検体に向けてＸ線を照射するＸ線源と、前記Ｘ線の出力方向に配置されて前記Ｘ線を検出するＸ線検出器とをそれぞれ含む撮影手段と、
前記撮影手段を前記被検体の周囲にて回転させる回転駆動手段と、
前記撮影手段を前記被検体の体軸方向に沿って移動させてスキャンを行う移動手段と、
スキャン範囲又は画像生成範囲を設定する範囲設定手段と、
前記撮影手段が移動可能な範囲を示す安全位置を入力する安全位置入力手段と、
前記スキャン範囲又は前記画像生成範囲に基づいて助走開始位置及び停止位置を求め、該助走開始位置から前記撮影手段を移動させ、該停止位置で前記撮影手段を停止させる移動制御手段とを備え、
前記移動制御手段は、前記助走開始位置及び前記停止位置が前記安全位置を超えている場合に、前記スキャンを行わないように制御する、
ことを特徴とするＸ線ＣＴ装置。
【請求項２】
前記移動制御手段は、前記撮影手段の前記体軸方向における位置を測定するセンサを有し、前記撮影手段が移動可能な範囲を示す安全位置の入力、及びスキャン開始位置及びスキャン終了位置の入力を受けて、助走開始位置及び停止位置を算出し、前記助走開始位置及び前記停止位置が前記安全位置を越えていなければ、前記センサからの入力を基に、前記助走開始位置まで前記撮影手段を移動させ、前記助走開始位置から助走を開始させ、前記スキャン開始位置からスキャンを行わせ、前記スキャン終了位置でＸ線の照射を停止して前記撮影手段を減速させて前記停止位置で停止させる、
ことを備えることを特徴とする請求項１に記載のＸ線ＣＴ装置。
【請求項３】
前記移動制御手段は、算出された前記助走開始位置が前記安全位置を超えた場合に、操作者に警告を通知することを特徴とする請求項１又は請求項２に記載のＸ線ＣＴ装置。
【請求項４】
前記安全位置入力手段は、前記撮影装置を操作者が手動で所望の位置まで移動させ確定指示を受けて、前記センサにより測定された位置を記憶することにより安全位置の入力を行うことを特徴とする請求項１乃至請求項３のいずれか一つに記載のＸ線ＣＴ装置。
【請求項５】
前記スキャン開始位置の入力は、操作者が手動で前記撮影装置を所望の位置まで移動させることで行うことを特徴とする請求項２乃至請求項４のいずれか一つに記載のＸ線ＣＴ装置。
【請求項６】
前記安全位置が、前記スキャン方向及び前記スキャン方向と逆の方向の２箇所に設定されることを特徴とする請求項１乃至請求項５のいずれか一つに記載のＸ線ＣＴ装置。
【請求項７】
撮影装置が操作者により手動で移動させられた所望の安全位置を記憶する段階と、
撮影装置が操作者により手動で移動させられた所望のスキャン開始位置及びスキャン終了位置を記憶する段階と、
前記スキャン開始位置から所定距離離れた助走開始位置を算出する段階と、
前記スキャン終了位置から所定距離離れた停止位置を算出する段階と、
前記助走開始位置及び前記停止位置と前記安全位置とを比較し、前記助走開始位置及び／又は前記停止位置が前記安全位置を超えていれば警告を発する段階と、
前記助走開始位置及び前記停止位置が前記安全位置を超えていない場合に、
前記撮影装置の前記体軸方向における位置を把握するセンサからの入力を基に前記助走開始位置まで前記撮影手段が移動する段階と、
前記助走開始位置から助走を開始させる段階と、
前記撮影装置を前記被検体の周囲にて回転させる段階と、
前記撮影装置は前記スキャン開始位置から被検体に向けてＸ線の照射を開始するとともに、前記回転しながら前記被検体のスキャンを行う段階と、
該スキャンにより前記撮影手段から得られるＸ線の検出データを収集する段階と、
該データ収集段階により収集された前記Ｘ線の検出データに基づいて画像を再構成する段階と、
前記スキャン終了位置でＸ線の照射を停止させ前記撮影手段を減速させて前記停止位置で撮影手段を停止させる段階と、
を有することを特徴とするＸ線ＣＴ画像生成方法。
【手続補正２】
【補正対象書類名】明細書
【補正対象項目名】００１０
【補正方法】変更
【補正の内容】
【００１０】
請求項７に記載のＸ線ＣＴ画像生成方法は、撮影装置が操作者により手動で移動させられた所望の安全位置を記憶する段階と、撮影装置が操作者により手動で移動させられた所望のスキャン開始位置及びスキャン終了位置を記憶する段階と、前記スキャン開始位置から所定距離離れた助走開始位置を算出する段階と、前記スキャン終了位置から所定距離離れた停止位置を算出する段階と、前記助走開始位置及び前記停止位置と前記安全位置とを比較し、前記助走開始位置及び／又は前記停止位置が前記安全位置を超えていれば警告を発する段階と、前記助走開始位置及び前記停止位置が前記安全位置を超えていない場合に、前記撮影装置の前記体軸方向における位置を把握するセンサからの入力を基に前記助走開始位置まで前記撮影手段が移動する段階と、前記助走開始位置から助走を開始させる段階と、前記撮影装置を前記被検体の周囲にて回転させる段階と、前記撮影装置は前記スキャン開始位置から被検体に向けてＸ線の照射を開始するとともに、前記回転しながら前記被検体のスキャンを行う段階と、該スキャンにより前記撮影手段から得られるＸ線の検出データを収集する段階と、該データ収集段階により収集された前記Ｘ線の検出データに基づいて画像を再構成する段階と、前記スキャン終了位置でＸ線の照射を停止させ前記撮影手段を減速させて前記停止位置で撮影手段を停止させる段階と、を有することを特徴とするものである。
【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
連続した画像列から、複数の画像間の変化量に基づいてシーン変化画像を検出するシーン変化検出装置であって、
前記画像列中の画像から特徴領域を抽出する特徴領域抽出手段と、
前記特徴領域に基づいて前記画像を複数の領域に分割した部分領域ごとに、前記複数の画像間の変化量を算出する画像変化検出手段と、
前記部分領域ごとに前記変化量の閾値を設定すると共に、該閾値と前記複数の画像間の変化値とを比較し、該比較結果を前記部分領域の間で統合することにより、前記画像全体の変化量である統合変化量を算出する統合変化量算出手段と、
前記統合変化量に基づいて、前記複数の画像間のシーン変化を検出するシーン変化検出手段と、
を備えることを特徴とするシーン変化検出装置。
【請求項２】
前記部分領域は、抽出された前記特徴領域、該特徴領域を除く領域、比較する画像に対する前記特徴領域の移動に伴い発生する比較する画像との間の共通領域又はずれ領域を含むことを特徴とする請求項１に記載のシーン変化検出装置。
【請求項３】
前記統合変化量算出手段は、前記部分領域の各々に対し、前記特徴領域の特徴量に基づいて前記閾値を算出することを特徴とする請求項１に記載のシーン変化検出装置。
【請求項４】
前記閾値は、前記画像列中の連続する複数枚の画像に対して同一であることを特徴とする請求項１〜３のいずれか一つに記載のシーン変化検出装置。
【請求項５】
前記特徴領域の特徴量として、該特徴領域の階調情報、輝度情報、位置情報、および大きさ情報の内の少なくとも一つが用いられることを特徴とする請求項３に記載のシーン変化検出装置。
【請求項６】
前記連続した画像列は、被検体の体腔内に導入されたカプセル型内視鏡によって撮影された体腔内画像列であることを特徴とする請求項１〜５のいずれか一つに記載のシーン変化検出装置。
【請求項７】
前記特徴領域抽出手段により抽出する前記特徴領域は、体腔内画像中に含まれる病変部、出血部、または粘膜の領域を含むことを特徴とする請求項６に記載のシーン変化検出装置。
【請求項８】
コンピュータに、連続した画像列から、複数の画像間の変化量に基づいてシーン変化画像を検出する手順を実行させるシーン変化検出プログラムであって、
前記コンピュータに、
前記画像列中の対象となる画像から特徴領域を抽出する特徴領域抽出手順と、
前記特徴領域に基づいて前記画像を複数の領域に分割した部分領域ごとに、前記複数の画像間の変化量の閾値を設定する閾値設定手順と、
前記部分領域ごとに前記複数の画像間の変化量を算出する画像変化検出手順と、
前記閾値と前記複数の画像間の変化値とを比較し、該比較結果を前記部分領域の間で統合することにより、前記画像全体の変化量である統合変化量を算出する統合変化量算出手順と、
前記統合変化量に基づいて、前記複数の画像間のシーン変化を検出するシーン変化検出手順と、
を実行させることを特徴とするシーン変化検出プログラム。
【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
遊技領域に向けて遊技球を発射すべく操作されるハンドル装置を遊技機本体の前面に備えており、
前記ハンドル装置は、
前記遊技機本体に固定される基部と、
前記基部の前方に設けられ、遊技球の発射操作に際して回動操作されるとともに、その回動操作量に基づいて遊技球の発射速度を調整可能な環状の操作部材と、
前記操作部材の外周部から当該操作部材の外方に突出して設けられ、前記回動操作がなされる場合に、指が引っ掛けられた状態にて前記回動方向へ操作される指掛け操作部と
を備え、
前記指掛け操作部の後部における少なくとも一部は、前記遊技機本体側に向けて凸となる成分を有する曲面状をなしていることを特徴とする遊技機。
【請求項２】
遊技領域に向けて遊技球を発射すべく操作されるハンドル装置を遊技機本体の前面に備えており、
前記ハンドル装置は、
前記遊技機本体に固定される基部と、
前記基部の前方に設けられ、遊技球の発射操作に際して回動操作されるとともに、その回動操作量に基づいて遊技球の発射速度を調整可能な環状の操作部材と、
前記操作部材の外周部から当該操作部材の外方に突出して設けられ、前記回動操作がなされる場合に、指が引っ掛けられた状態にて前記回動方向へ操作される指掛け操作部と
を備え、
前記指掛け操作部は前記回動方向に所定の幅を有するとともに、当該指掛け操作部における最大幅位置よりも前記遊技機本体側は、後方へ向けて凸となる曲面状をなすことを特徴とする遊技機。
【請求項３】
前記指掛け操作部における回動操作方向の手前側には、前記操作部材の外周部から起立するとともに指と当接される当接面が形成され、
前記当接面は、前記操作部の回動軸線方向に所定の幅を有するとともに、前記遊技機本体に向けて凸となる成分を有し、その幅方向全域にて連続する曲面状をなすことを特徴とする請求項１又は請求項２に記載の遊技機。
【請求項４】
前記操作部材が所定の方向に回動操作されることで、前記遊技球の発射速度が増加する設定とされており、
前記指掛け操作部における前記所定の回動操作方向の手前側に形成され、前記操作部材の外周部から起立するとともに指と当接される当接面を有し、
前記当接面は、前記遊技機本体側ほど前記所定の操作方向に向かって湾曲していることを特徴とする請求項１又は請求項２に記載の遊技機。
【請求項５】
前記指掛け操作部は自身の後部にて前記遊技機本体と対向する対向面を有し、
記対向面と前記当接面とは連続する曲面として繋がっており、
前記当接面が、前記操作部材と前記基部との境界部位よりも前方に配置されていることを特徴とする請求項３又は請求項４に記載の遊技機。
【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
所定の契機に基づいて態様を変化させる可変部と、
前記可変部の少なくとも一部を遮蔽する遮蔽位置と当該遮蔽位置から退避した退避位置とに移動可能な遮蔽部材と、
前記遮蔽部材を駆動する駆動手段と、
を備える遊技機であって、
前記遮蔽部材は、前記退避位置から前記遮蔽位置へ移動する場合における先端面が、前記退避位置において前記移動方向よりも正面方向に近い方向を向くよう、前記遮蔽部材に対して変位可能に設けられていることを特徴とする遊技機。
【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
遊技球が流下する遊技領域が前面に形成された遊技盤と、
該遊技盤の遊技領域に設けられ遊技球が入球可能な入球口と、
前記遊技盤の裏面に設けられ、前記入球口に入球した遊技球を誘導する球誘導部材と、
該球誘導部材に設けられる電気部品と、
該電気部品に対して電気的に接続される制御基板とを備えた遊技機であって、
前記電気部品と前記制御基板との間を可動領域とする可動体を備えていることを特徴とする遊技機。
【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
所定の契機に基づいて態様を変化させる可変部と、
前記可変部の少なくとも一部を遮蔽する遮蔽位置と当該遮蔽位置から退避した退避位置とに移動可能な遮蔽部材と、
前記遮蔽部材を駆動する駆動手段と、
を備える遊技機であって、
前記遮蔽部材は、前記退避位置から前記遮蔽位置へ移動する場合における先端面が、前記退避位置において前記移動方向よりも正面方向に近い方向を向いて露出されるようにしたことを特徴とする遊技機。
【請求項２】
遊技球が流下可能な遊技領域と、
該遊技領域に設けられ遊技球が入球可能な入球口と、
該入球口へ入球した遊技球を検出する検出手段と、
該検出手段による検出に基づいて抽選を行う抽選手段と、
該抽選手段による抽選の結果に基づいて表示演出を選択する選択手段と、
該選択手段によって選択された前記表示演出を制御する表示制御手段と、
該表示制御手段によって前記表示演出が制御される前記可変部としての可変表示部とを備え、
前記遮蔽部材は、
前記先端面と、前記遮蔽位置において前記可変部の前方に位置する遮蔽面とが光透過性を有し、
前記前記先端面を当該面に対する背後から照射する第１発光手段と、
前記遮蔽面を当該面に対する背後から照射する第２発光手段とを備えている
ことを特徴とする請求項１に記載の遊技機。
【請求項３】
前記遮蔽部材は、前記遮蔽位置にある場合よりも前記退避位置にある場合の方が正面視における上下幅が小さくなるように、非直線状の軌道に沿って移動可能とされている
ことを特徴とする請求項２に記載の遊技機。
【請求項４】
前記遮蔽部材として、前記退避位置から前記遮蔽位置への移動によって各先端面を互いに接近させる２個の遮蔽部材を備え、
前記２個の遮蔽部材は、
前記遮蔽位置から前記退避位置へ移動する場合に次第に平行方向に近づくように可動領域が設けられ、
前記先端面が位置する側よりも末端面が位置する側のほうが厚みが薄くされていることを特徴とする請求項３に記載の遊技機。
【請求項５】
前記遮蔽部材として、前記退避位置から前記遮蔽位置への移動によって各先端面を互いに接近させる２個の遮蔽部材を備え、
前記２個の遮蔽部材は、前記遮蔽位置から前記退避位置へ移動する場合に次第に平行方向に近づくように可動領域が設けられ、
前記２個の遮蔽部材にはそれぞれ演出用電気部品が設けられ、
各演出用電気部品は、所定の前記退避位置にある前記２個の遮蔽部材の内側に配設される所定の制御基板に対してそれぞれ別個に配線接続されている
ことを特徴とする請求項３に記載の遊技機。
【請求項６】
前記２個の遮蔽部材が有する各先端面は、各遮蔽部材がそれぞれ前記遮蔽位置にある場合に対向し、各遮蔽部材がそれぞれ前記退避位置にある場合には、異なる角度をもって前方に傾斜した方向を向く
ことを特徴とする請求項４又は請求項５に記載の遊技機。
【請求項７】
前記可変表示部は、前記抽選手段による抽選結果に基づいて図柄の変動表示が行われるものであり、
前記遮蔽部材の一部に、前記可変表示部を視認可能とする窓部が設けられ、
前記遮蔽部材が前記遮蔽位置にあるとき、前記図柄の変動表示を縮小して行い、前記窓部から視認可能とする
ことを特徴とする請求項２から請求項６のいずれかに記載の遊技機。
【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
遊技の進行を制御する上位マイクロプロセッサが実装される上位制御基板と、
該上位制御基板からのコマンドに基づいて、少なくとも、各種画像が描画される表示領域を有する表示装置と音を発生するスピーカとによる演出を制御する下位マイクロプロセッサが実装される下位制御基板と、
を備えるパチンコ遊技機であって、
前記下位制御基板は、少なくとも、
前記表示装置の表示領域に前記各種画像を描画する描画部と、
前記各種画像のうち、背景画像と対応する複数のＢＧＭが予め記憶されるＢＧＭ記憶部と、
前記複数のＢＧＭの進行を個別に規定するスケジュールデータが予め記憶されるスケジュールデータ記憶部と、
前記複数のＢＧＭを同時に再生可能なＢＧＭ演奏部と、
該ＢＧＭ演奏部からのＢＧＭ再生信号を増幅してスピーカに出力するアンプ部と、
を備え、
前記スケジュールデータ記憶部に記憶されるスケジュールデータは、前記複数のＢＧＭの音量を個別に規定するボリューム値が最小値から最大値までに亘る範囲のうち、いずれかの値が設定され、
前記下位マイクロプロセッサは、少なくとも、
前記表示装置の表示領域に前記背景画像を描画するように前記描画部を制御する描画制御手段と、
該描画制御手段が前記描画部を制御して前記表示装置の表示領域に描画する前記背景画像と対応する前記複数のＢＧＭのうち、１つのＢＧＭを選択し、該選択したＢＧＭと対応する前記スケジュールデータ記憶部に記憶されるスケジュールデータに従って該スケジュールデータに規定される前記ボリューム値を前記ＢＧＭ演奏部にセットして該選択したＢＧＭを再生する第１のＢＧＭ再生進行制御手段と、
前記描画制御手段が前記描画部を制御して前記表示装置の表示領域に描画する前記背景画像と対応する前記複数のＢＧＭのうち、前記第１のＢＧＭ再生進行制御手段が再生するＢＧＭと異なる１つのＢＧＭを選択し、該選択したＢＧＭと対応する前記スケジュールデータ記憶部に記憶されるスケジュールデータに従って該スケジュールデータに規定される前記ボリューム値を前記ＢＧＭ演奏部にセットして該選択したＢＧＭを再生する第２のＢＧＭ再生進行制御手段と、
予め定めた条件が成立すると、前記第１のＢＧＭ再生進行制御手段が再生するＢＧＭの音量を予め定めた期間内で徐々に小さくするように当該第１のＢＧＭ再生進行制御手段が前記ＢＧＭ演奏部にセットした前記ボリューム値を前記最小値に向かって徐々に小さい値に強制的に更新してフェードアウトを行うと同時に又はその後に前記第２のＢＧＭ再生進行制御手段が再生するＢＧＭの音量を前記予め定めた期間内で徐々に大きくするように当該第２のＢＧＭ再生進行制御手段が前記ＢＧＭ演奏部にセットした前記ボリューム値を前記最大値に向かって徐々に大きい値に強制的に更新してフェードインを行うＢＧＭ音量強制更新制御手段と、
を備えることを特徴とするパチンコ遊技機。
【請求項２】
請求項１に記載のパチンコ遊技機であって、
前記下位マイクロプロセッサは、さらに、
前記第１のＢＧＭ再生進行制御手段が再生するＢＧＭを強制的に停止する旨を伝える第１の再生停止情報を前記ＢＧＭ演奏部にセットしたり、又は前記第２のＢＧＭ再生進行制御手段が再生するＢＧＭを強制的に停止する旨を伝える第２の再生停止情報を前記ＢＧＭ演奏部にセットしたりするＢＧＭ再生停止制御手段
を備え、
前記ＢＧＭ再生停止制御手段は、前記第１のＢＧＭ再生進行制御手段が前記ＢＧＭ演奏部にセットした前記ボリューム値を、前記ＢＧＭ音量強制更新制御手段が前記最小値に強制的に更新してフェードアウトを行った後に前記第１の再生停止情報を前記ＢＧＭ演奏部にセットする一方、前記第２のＢＧＭ再生進行制御手段が前記ＢＧＭ演奏部にセットした前記ボリューム値を、前記ＢＧＭ音量強制更新制御手段が前記最大値に向かって徐々に大きい値に強制的に更新してフェードインを行うまで前記第２の再生停止情報を前記ＢＧＭ演奏部にセットすることを特徴とするパチンコ遊技機。
【請求項３】
請求項１又は２に記載のパチンコ遊技機であって、
前記各種画像は、
前記表示装置の表示領域に変動表示される複数の図柄
を含み、
前記下位マイクロプロセッサは、さらに、
前記上位制御基板からのコマンドに基づいて前記表示装置の表示領域に前記複数の図柄の変動表示を開始するように前記描画部を制御する図柄変動表示制御手段と、
該図柄変動表示制御手段が前記描画部を制御して前記表示装置の表示領域に前記複数の図柄の変動表示を開始する際に、前記第１のＢＧＭ再生進行制御手段が再生するＢＧＭから前記第２のＢＧＭ再生進行制御手段が再生するＢＧＭへ切り替えるか否かを決定するＢＧＭ切り替え決定制御手段と、
を備え、
前記予め定めた条件は、前記第１のＢＧＭ再生進行制御手段が再生するＢＧＭから前記第２のＢＧＭ再生進行制御手段が再生するＢＧＭへ切り替える決定を前記ＢＧＭ切り替え決定制御手段がしたときに成立する条件であることを特徴とするパチンコ遊技機。
【手続補正２】
【補正対象書類名】明細書
【補正対象項目名】００１７
【補正方法】変更
【補正の内容】
【００１７】
本発明の請求項１においては、ＢＧＭの切り替えによる違和感を遊技者に与えにくくすることができる。請求項２においては、ＢＧＭ音量強制更新制御手段が最小値に強制的に更新してフェードアウトを行った後に第１の再生停止情報をＢＧＭ演奏部にセットすることによって第１のＢＧＭ再生制御手段による再生を確実に完全停止状態にすることができ、ＢＧＭ音量強制更新制御手段が最大値に向かって徐々に大きい値に強制的に更新してフェードインを行うまで第２の再生停止情報をＢＧＭ演奏部にセットすることによって第２のＢＧＭ再生制御手段による再生を確実に完全停止状態にすることができる。請求項３においては、複数の図柄の変動表示を開始する際にＢＧＭの切り替えを行うことによって、複数の図柄の変動表示が開始されてその変動表示が停止されると、遊技者に利益を付与する大当り遊技状態に移行する期待感が大きくなったような印象を遊技者に与えることができる。
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
遊技媒体としてパチンコ球が供給される島設備に設置されるパチンコ球取込式回胴遊技機であって、
前記島設備から供給されるパチンコ球、および、遊技者により補充されるパチンコ球を、少なくとも１回のゲームを実行可能な数量は貯留可能な貯留部と、
複数の図柄が付されると共に回動表示可能な回動表示列が回動方向と交差する方向に複数並んで配置される回動表示装置と、
前記貯留部に貯留されるパチンコ球を内部に取り込み可能なパチンコ球取込装置と、
遊技者によるゲームの始動操作が受け付けられる始動操作部と、
所定個数のパチンコ球を１単位とし、当該１単位の整数倍の規定単位数分のパチンコ球が前記パチンコ球取込装置により前記貯留部から内部に取り込まれたことに応じて、前記始動操作の受け付けを許容しうる始動受付許容手段と、
特典役、および、当該特典役以外の複数種の一般役、を少なくとも含む複数の当選役の何れかに当選しうる内部抽選を、前記始動操作部における始動操作に基づいて１回のゲームごとに行いうる内部抽選手段と、
前記始動操作部において始動操作が受け付けられると、前記複数の回動表示列を回動させる回動表示制御手段と、
前記回動表示制御手段により回動される前記複数の回動表示列を列毎に停止させるべく、当該複数の回動表示列毎に停止操作を受け付けることが可能な停止操作部と、
前記停止操作部において停止操作が受け付けられた前記回動表示列毎に、前記内部抽選の結果に基づいて当該回動表示列の回動停止を各々制御する回動表示停止制御手段と、
所定の図柄表示部にて前記複数の回動表示列の全てに跨って形成される図柄の組み合わせが、前記複数の当選役に対応する図柄の組み合わせの何れかに該当するか否かを判定する表示図柄判定手段と、
前記表示図柄判定手段により前記一般役に対応する図柄の組み合わせが表示されたと判定されたときに、当該一般役の種別に対応する遊技価値を、１回のゲーム毎に賞として付与する遊技価値付与手段と、
前記賞としてパチンコ球が付与される場合、当該付与される数のパチンコ球を前記貯留部に払い出すパチンコ球払出装置と、
前記表示図柄判定手段により前記特典役に対応する図柄の組み合わせが表示されたと判定されると、前記遊技価値としてのパチンコ球が賞として前記パチンコ球払出装置により前記貯留部に多量に払い出されうる大当り遊技を、特典として付与する大当り遊技付与手段と、
前記パチンコ球取込装置により前記規定単位数分のパチンコ球が前記貯留部から内部に取り込まれたことに応じて、前記始動受付許容手段により前記始動操作の受け付けが許容されて通常ゲームが実行される通常遊技状態に制御する通常遊技状態制御手段を有する遊技状態制御手段と、
を備え、
前記遊技状態制御手段は、
前記大当り遊技が付与されたのちの所定期間に限り、前記パチンコ球取込装置によりパチンコ球が取り込まれるものの前記１単位に満たない半端数量分のパチンコ球が前記貯留部から内部に取り込まれたことに応じて、前記始動受付許容手段により前記始動操作の受け付けが許容されてゲームが実行される機会が増加するサービス遊技状態に制御するサービス遊技状態制御手段を、さらに有すると共に、
前記サービス遊技状態制御手段は、
前記パチンコ球取込装置により前記貯留部から内部に取り込まれるパチンコ球の数量が前記半端数量であるにも拘らず前記通常ゲームを実行可能とする
ことを特徴とするパチンコ球取込式回胴遊技機。
【請求項２】
前記内部抽選手段は、前記始動操作されたことに基づいて乱数を取得し、該取得された乱数に基づいて、いずれかの当選役に当選したか否かの判定を行うものである
請求項１に記載の遊技機。
【請求項３】
所定の演出画像が表示される演出表示装置をさらに備える
請求項１または２に記載の遊技機。
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
遊技媒体として、島設備から供給されるパチンコ球、および、遊技者により補充されるパチンコ球を、少なくとも１回のゲームを実行可能な数量は貯留可能な貯留部と、
複数の図柄が付されると共に回動表示可能な回動表示列が回動方向と交差する方向に複数並んで配置される回動表示装置と、
前記貯留部に貯留されるパチンコ球を内部に取り込み可能なパチンコ球取込装置と、
遊技者によるゲームの始動操作が受け付けられる始動操作部と、
所定個数のパチンコ球を１単位とし、当該１単位の整数倍の規定単位数分のパチンコ球が前記パチンコ球取込装置により前記貯留部から内部に取り込まれたことに応じて、前記始動操作の受け付けを許容しうる始動受付許容手段と、
前記貯留部から相当の数量のパチンコ球が前記パチンコ球取込装置により内部に取り込まれると、遊技者の始動操作を受け付けることが可能となる始動操作部と、
複数の特典役、および、当該複数の特典役以外の複数種の一般役、を少なくとも含む複数の当選役の何れかに当選しうる内部抽選を、前記始動操作部における始動操作に基づいて１回のゲームごとに行いうる内部抽選手段と、
前記始動操作部において始動操作が受け付けられると、前記複数の回動表示列を回動させる回動表示制御手段と、
前記回動表示制御手段により回動される前記複数の回動表示列を列毎に停止させるべく、当該複数の回動表示列毎に停止操作を受け付けることが可能な停止操作部と、
前記停止操作部において停止操作が受け付けられた前記回動表示列毎に、前記内部抽選の結果に基づいて当該回動表示列の回動停止を各々制御する回動表示停止制御手段と、
所定の図柄表示部にて前記複数の回動表示列の全てに跨って形成される図柄の組み合わせが、前記複数の当選役に対応する図柄の組み合わせの何れかに該当するか否かを判定する表示図柄判定手段と、
前記表示図柄判定手段により前記一般役に対応する図柄の組み合わせが表示されたと判定されたときに、当該一般役の種別に対応する遊技価値を、１回のゲーム毎に賞として付与する遊技価値付与手段と、
前記賞としてパチンコ球が付与される場合、当該付与される数のパチンコ球を前記貯留部に払い出すパチンコ球払出装置と、
前記表示図柄判定手段により前記特典役に対応する図柄の組み合わせが表示されたと判定されると、前記遊技価値としてのパチンコ球が賞として前記パチンコ球払出装置により前記貯留部に払い出される機会が増加する大当り遊技を、特典として付与する大当り遊技付与手段と、
前記パチンコ球取込装置により前記規定単位数分のパチンコ球が前記貯留部から内部に取り込まれたときに、前記始動受付許容手段により前記始動操作の受け付けが許容されて通常ゲームが実行される通常遊技状態に制御する通常遊技状態制御手段を有する遊技制御手段と、
を備え、前記通常遊技状態ではゲームが進行するにつれて当該貯留部に貯留されるパチンコ球が漸減し、前記大当り遊技が付与されると遊技者が多量のパチンコ球を賞として獲得可能なパチンコ球取込式回胴遊技機であって、
前記複数の特典役は、前記大当り遊技として前記貯留部において貯留可能な範囲を超えるパチンコ球が払い出される特別大当り遊技が付与される特別特典役と、前記大当り遊技として前記貯留部において貯留可能な略範囲内で収まるようにパチンコ球が払い出される通常大当り遊技が付与される通常特典役と、を含み、
前記遊技状態制御手段は、
少なくとも前記大当り遊技付与手段により前記大当り遊技が付与されたのちの遊技状態を、前記パチンコ球取込装置によりパチンコ球が取り込まれるものの前記１単位に満たない半端数量のパチンコ球が前記貯留部から内部に取り込まれたことに応じて、前記始動受付許容手段により前記始動操作の受け付けが許容されて前記通常ゲームが実行される機会が増加する有利遊技状態に制御する有利遊技状態制御手段、をさらに有しており、
前記有利遊技状態制御手段は、
前記複数の特典のなかで遊技者が最も多くのパチンコ球を獲得可能な前記特別大当り遊技が付与されたときは、当該特別大当り遊技が付与されたのちの遊技状態を、前記パチンコ球取込装置により前記規定単位数分のパチンコ球が取り込まれて前記始動操作の受け付けが許容される頻度が前記通常遊技状態よりも抑制される第１有利遊技状態に制御する第１有利遊技状態制御手段と、
前記特別大当り遊技よりもパチンコ球の払出数が少ない前記通常大当り遊技が付与されたときは、当該通常大当り遊技が付与されたのちの遊技状態を、前記パチンコ球取込装置により前記規定単位数分のパチンコ球が取り込まれて前記始動操作の受け付けが許容される頻度が前記第１有利遊技状態よりもさらに抑制される第２有利遊技状態に制御する第２有利遊技状態制御手段と、を有する
ことを特徴とするパチンコ球取込式回胴遊技機。
【請求項２】
前記内部抽選手段は、前記始動操作されたことに基づいて乱数を取得し、該取得された乱数に基づいて、いずれかの当選役に当選したか否かの判定を行うものである
請求項１に記載の遊技機。
【請求項３】
所定の演出画像が表示される演出表示装置をさらに備える
請求項１または２に記載の遊技機。
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
島設備から供給される遊技球、および、遊技者により補充される遊技球を、遊技媒体として少なくとも１回のゲームを実行可能な数量は貯留可能な貯留部と、
複数の図柄が付されると共に回動表示可能な回動表示列が回動方向と交差する方向に複数並んで配置される回動表示装置と、
前記貯留部に貯留される遊技球を内部に取り込み可能な遊技球取込装置と、
遊技者によるゲームの始動操作が受け付けられる始動操作部と、
所定個数の遊技球を１単位とし、当該１単位の整数倍の規定単位数分の遊技球が前記遊技球取込装置により前記貯留部から内部に取り込まれたことに応じて、前記始動操作の受け付けを許容しうる始動受付許容手段と、
特典役、および、当該特典役以外の複数種の一般役、を少なくとも含む複数の当選役の何れかに当選しうる内部抽選を、前記始動操作部における始動操作に基づいて１回のゲームごとに行いうる内部抽選手段と、
前記始動操作部において始動操作が受け付けられると、前記複数の回動表示列を回動させる回動表示制御手段と、
前記回動表示制御手段により回動される前記複数の回動表示列を列毎に停止させるべく、当該複数の回動表示列毎に停止操作を受け付けることが可能な停止操作部と、
前記停止操作部において停止操作が受け付けられた前記回動表示列毎に、前記内部抽選の結果に基づいて当該回動表示列の回動停止を各々制御する回動表示停止制御手段と、
所定の図柄表示部にて前記複数の回動表示列の全てに跨って形成される図柄の組み合わせが、前記複数の当選役に対応する図柄の組み合わせの何れかに該当するか否かを判定する表示図柄判定手段と、
前記表示図柄判定手段により前記一般役に対応する図柄の組み合わせが表示されたと判定されたときに、当該一般役の種別に対応する遊技価値を、１回のゲーム毎に賞として付与する遊技価値付与手段と、
前記賞として遊技球が付与される場合、当該付与される数の遊技球を前記貯留部に払い出す遊技球払出装置と、
前記表示図柄判定手段により前記特典役に対応する図柄の組み合わせが表示されたと判定されると、前記遊技価値としての遊技球が賞として前記遊技球払出装置により前記貯留部に多量に払い出されうる大当り遊技を、特典として付与する大当り遊技付与手段と、
前記遊技球取込装置により前記規定単位数分の遊技球が前記貯留部から内部に取り込まれたことに応じて、前記始動受付許容手段により前記始動操作の受け付けが許容されて通常ゲームが実行される通常遊技状態に制御する通常遊技状態制御手段を有する遊技制御手段と、
を備え、ゲームが進行するにつれて、前記遊技球取込装置による遊技球の取り込みと前記遊技球払出装置による遊技球の払い出しとが、共通の前記貯留部に対して行なわれる遊技球取込式回胴遊技機であって、
前記遊技価値付与手段は、前記表示図柄判定手段により前記一般役のうちの特別一般役に対応する図柄の組み合わせが表示されたと判定されたときに、当該特別一般役に対応して少なくとも次ゲームの実行に必要な遊技価値を付与すると共に、
前記遊技状態制御手段は、
前記特別一般役に対応する遊技価値が付与されたのちの所定期間に限り、前記遊技球取込装置により遊技球が取り込まれるものの前記１単位に満たない半端数量の遊技球が前記貯留部から内部に取り込まれたことに応じて、前記始動受付許容手段により前記始動操作の受け付けが許容されてゲームが実行される機会が増加するサービス遊技状態に制御するサービス遊技状態制御手段を、さらに有しており、
前記サービス遊技状態制御手段は、
前記遊技球取込装置により前記貯留部から内部に取り込まれる遊技球の数量が前記半端数量であるにも拘らず前記通常ゲームを実行可能とする
ことを特徴とする遊技球取込式回胴遊技機。
【請求項２】
前記内部抽選手段は、前記始動操作されたことに基づいて乱数を取得し、該取得された乱数に基づいて、いずれかの当選役に当選したか否かの判定を行うものである
請求項１に記載の遊技機。
【請求項３】
所定の演出画像が表示される演出表示装置をさらに備える
請求項１または２に記載の遊技機。
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
遊技球が遊技媒体として供給される島設備に設置され、前記島設備から供給される遊技球および遊技者により補充される遊技球を少なくとも１回のゲームを実行可能な数量は貯留可能な貯留部が設けられると共に、当該貯留部に貯留される遊技球が取り込まれることによって遊技が行われる遊技球取込式回胴遊技機であって、
複数の図柄が付されると共に回動表示可能な回動表示列が回動方向と交差する方向に複数並んで配置される回動表示装置と、
前記貯留部に貯留される遊技球を内部に取り込み可能な遊技球取込装置と、
遊技者によるゲームの始動操作が受け付けられる始動操作部と、
所定個数の遊技球を１単位とし、当該１単位の整数倍の規定単位数分の遊技球が前記遊技球取込装置により前記貯留部から内部に取り込まれたことに応じて、前記始動操作の受け付けを許容しうる始動受付許容手段と、
特典役、および、当該特典役以外の複数種の一般役、を少なくとも含む複数の当選役の何れかに当選しうる内部抽選を、前記始動操作部における始動操作に基づいて１回のゲームごとに行いうる内部抽選手段と、
前記始動操作部において始動操作が受け付けられると、前記複数の回動表示列を回動させる回動表示制御手段と、
前記回動表示制御手段により回動される前記複数の回動表示列を列毎に停止させるべく、当該複数の回動表示列毎に停止操作を受け付けることが可能な停止操作部と、
前記停止操作部において停止操作が受け付けられた前記回動表示列毎に、前記内部抽選の結果に基づいて当該回動表示列の回動停止を各々制御する回動表示停止制御手段と、
所定の図柄表示部にて前記複数の回動表示列の全てに跨って形成される図柄の組み合わせが、前記複数の当選役に対応する図柄の組み合わせの何れかに該当するか否かを判定する表示図柄判定手段と、
前記表示図柄判定手段により前記一般役に対応する図柄の組み合わせが表示されたと判定されたときに、当該一般役の種別に対応する遊技価値を、１回のゲーム毎に賞として付与する遊技価値付与手段と、
前記賞として遊技球が付与される場合、当該付与される数の遊技球を前記貯留部に払い出す遊技球払出装置と、
前記遊技球取込装置により前記規定単位数分の遊技球が前記貯留部から内部に取り込まれたことに応じて、前記始動受付許容手段により前記始動操作の受け付けが許容されて通常ゲームが実行されることによって、ゲームが進行するにつれて前記貯留部に貯留される遊技球が漸減する通常遊技状態に常には制御する遊技状態制御手段と、
前記表示図柄判定手段により前記特典役に対応する図柄の組み合わせが表示されたと判定されると、ゲームが進行するにつれて、前記遊技価値としての遊技球が前記遊技球払出装置により賞として前記貯留部に払い出される機会が増加する大当り遊技を特典遊技として付与する大当り遊技付与手段を有する特典遊技付与手段と、
を備え、
前記特典遊技付与手段は、
特別の付与条件が満たされると、前記遊技球取込装置により遊技球が取り込まれるものの前記１単位に満たない半端数量の遊技球が前記貯留部から内部に取り込まれたことに応じて、前記始動受付許容手段により前記始動操作の受け付けが許容されて前記通常ゲームが実行される機会が増加する中当り遊技を特典として付与可能な中当り遊技付与手段、をさらに有しており、
前記中当り遊技付与手段は、
前記遊技球取込装置により前記貯留部から内部に取り込まれる遊技球の数量が前記半端数量であることにより、ゲームが進行するにつれて前記貯留部に貯留される遊技球が漸増する
ことを特徴とする遊技球取込式回胴遊技機。
【請求項２】
前記内部抽選手段は、前記始動操作されたことに基づいて乱数を取得し、該取得された乱数に基づいて、いずれかの当選役に当選したか否かの判定を行うものである
請求項１に記載の遊技機。
【請求項３】
所定の演出画像が表示される演出表示装置をさらに備える
請求項１または２に記載の遊技機。
【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
左心耳を閉塞する医療器具であって、
左心耳の外側に位置するように構成された少なくとも１つの閉塞面を含む第一部分と、
左心耳により画定される空洞内に、少なくとも一部が位置するように構成された少なくとも１つの閉塞面を含む第二部分であって、前記第二部分が第二部分の全長に沿って空洞内に係合するように構成された円筒状部分を含み、前記第一部分が第一外径を有し、および前記第二部分が前記第一外径より小さい第二外径を有することからなる第二部分と、
前記第一部分と第二部分を連結しかつその間に可撓性を提供するように構成された遷移区間と
を含む、医療器具。
【請求項２】
前記第一部分の少なくとも１つの閉塞面が左心耳の開口を覆うように構成された、請求項１に記載の医療器具。
【請求項３】
前記第一部分が左心耳の外側に位置するように構成された複数の閉塞面を含む、請求項１に記載の医療器具。
【請求項４】
前記第二部分が、左心耳により画定される空洞内に少なくとも一部が位置するように構成された複数の閉塞面を含む、請求項１に記載の医療器具。
【請求項５】
前記第一の直径が前記第二の直径よりも少なくとも約１０％だけ大きい、請求項１に記載の医療器具。
【請求項６】
前記第二部分に連結されかつ前記第二部分から遠位的に延びる第三部分を更に含み、該第三部分が前記第二の直径よりも小さい第三の直径を有する、請求項１に記載の医療器具。
【請求項７】
前記遷移区間が前記第一および第二の直径よりも実質的に小さい遷移の直径を有する、請求項１に記載の医療器具。
【請求項８】
前記遷移の直径に対する前記第一の直径の比が約１０乃至２５である、請求項７に記載の医療器具。
【請求項９】
前記遷移の直径に対する前記第二の直径の比が約１０乃至２０である、請求項７に記載の医療器具。
【請求項１０】
前記第一部分及び第二部分が、少なくとも１層の閉塞材料を含む、請求項１に記載の医療器具。
【請求項１１】
前記少なくとも１層の閉塞材料が織布を含む、請求項１０に記載の医療器具。
【請求項１２】
さらに前記第二部分から延びかつ前記左心耳の内部の空洞に係合するよう構成された複数のフックをさらに含む、請求項１に記載の医療器具。
【請求項１３】
前記複数のフックがバルビツール剤を含まない、請求項１２に記載の医療器具。
【請求項１４】
前記第一部分がディスク部分を含む、請求項１に記載の医療器具。
【請求項１５】
前記第一部分及び第二部分が、前記左心耳に送り出すために既定の膨張形状よりもやむなく小さな直径になるように構成され、非拘束時にはほぼ既定の形状に自己膨張するように構成された、請求項１に記載の医療器具。
【請求項１６】
前記第一及び第二部分にそれぞれ付随する少なくとも１つの閉塞面が、金属材料、ポリエステル材料、生体適合性ポリマー材料、又はこれらの組合せを含む、請求項１に記載の医療器具。
【請求項１７】
前記第一および第二部分のそれぞれ付随する少なくとも１つの閉塞面が、血栓の形成を容易に行うように血流に対して全体的に横切って向けられるよう構成された表面を含む、請求項１に記載の医療器具。
【請求項１８】
前記医療器具が、左心耳に経皮デリバリーするために、外径が１２フレンチよりも小さいカテーテル内に、拘束されるように構成された、請求項１に記載の医療器具。
【請求項１９】
前記医療器具が、外径が約１１フレンチ以下のカテーテル内に、医療器具が拘束されるように構成された、請求項１８に記載の医療器具。
【請求項２０】
前記医療器具が、約１０フレンチ以内の外径を有するカテーテルの内部に拘束されるように構成された、請求項１８に記載の医療器具。
【請求項２１】
前記医療器具が、約９フレンチ以内の外径を有するカテーテルの内部に拘束されるように構成された、請求項１８に記載の医療器具。
【請求項２２】
前記医療器具が、前記左心耳によって画成された空洞より約２０ｍｍ以内の深さに延びるように構成された、請求項１に記載の医療器具。
【請求項２３】
前記医療器具が、前記左心耳によって画成された空洞の内部より約１５ｍｍ以内の深さまで延びるように構成された、請求項１に記載の医療器具。
【請求項２４】
前記医療器具が、前記左心耳によって画成された空洞の内部より約１０ｍｍ以内の深さまで延びるように構成された、請求項１に記載の医療器具。
【請求項２５】
前記第一部分が、前記第一部分及び前記第二部分を通って延びる中心軸に沿って前記第二部分に対して約３０°まで曲がるように構成された、請求項１に記載の医療器具。
【請求項２６】
前記医療器具が、約１０分以内に前記左心耳を実質的に閉塞するように構成された、請求項１に記載の医療器具。
【請求項２７】
前記器具が約５分以内に前記左心耳を実質的に閉塞するよう構成された、請求項１に記載の医療器具。
【請求項２８】
前記器具が約３分以内に前記左心耳を実質的に閉塞するように構成された、請求項１に記載の医療器具。
【請求項２９】
前記器具が約２分以内に前記左心耳を実質的に閉塞するように構成された、請求項１に記載の医療器具。
【請求項３０】
前記器具が約１分以内に前記左心耳を実質的に閉塞するように構成された、請求項１に記載の医療器具。
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
カルボキシ基を含まないアクリロニトリル系重合体（Ａ）と、カルボキシ基を含む重合体（Ｂ）と、溶媒とを、ニーダーで混合したのち加熱溶解して、アクリロニトリル系重合体溶液を調整して紡糸する炭素繊維前駆体アクリロニトリル系繊維の製造方法。
【手続補正２】
【補正対象書類名】明細書
【補正対象項目名】０００５
【補正方法】変更
【補正の内容】
【０００５】
上記課題を解決する本発明の炭素繊維前駆体アクリロニトリル系繊維の製造方法は、カ
ルボキシ基を含まないアクリロニトリル系重合体（Ａ）と、カルボキシ基を含む重合体（
Ｂ）と、溶媒とを、ニーダーで混合したのち加熱溶解して、アクリロニトリル系重合体溶液を調整して紡糸することを特徴とする。
【手続補正３】
【補正対象書類名】明細書
【補正対象項目名】０００６
【補正方法】変更
【補正の内容】
【０００６】
本発明によれば、生産性や、組成設計の自由度が高く、高性能の炭素繊維を製造するのに好適な炭素繊維前駆体アクリロニトリル系繊維の製造方法を提供できる。